(57)【要約】【課題】            マグネトロン電源装置にあって、インバータ方式を採用しようとする際、チョークコイルを回路に挿入すると、不安定となり、つまり定電流コントロールを行なうことができず、系が安定しないという点である。【解決手段】        パワースイッチとパルストランスを含めたインバータとマグネトロン発振器とを組み入れたマグネトロン電源装置であって、マグネトロン発振器のグランド側もしくは高圧側に抵抗素子を組み込んであることとし、前記抵抗素子を高圧側に組み込む場合、その抵抗素子を絶縁してあることとする。【選択図】          図１
2006202670.tif 000002
【特許請求の範囲】
【請求項１】
パワースイッチとパルストランスを含めたインバータとマグネトロン発振器とを組み入れたマグネトロン電源装置であって、マグネトロン発振器のグランド側もしくは高圧側に抵抗素子を組み込んであることを特徴とするマグネトロン電源装置。
【請求項２】
前記抵抗素子を高圧側に組み込む場合、その抵抗素子を絶縁してあることを特徴とする請求項１に記載のマグネトロン電源装置。
【発明の詳細な説明】
【技術分野】
【０００１】
本発明はマグネトロン発振器が組み込まれたマグネトロン電源装置、特に業務用をはじめとする電子レンジ用として使用されるマグネトロン電源装置に関する。
【背景技術】
【０００２】
一般的に、係るマグネトロン電源装置は図２として示す回路構成となっている。この図２にあっては、通例のＡＣラインより電力を供給されるものとなっており、このＡＣラインからの入力電力は三相２００Ｖ、５０Ｈｚもしくは６０Ｈｚとされる。この入力電力は三つの三端子双方向サイリスタ（トライアック，商品名）ＴＲ１、ＴＲ２、ＴＲ３によって制御される。
【０００３】
ＡＣラインからの入力電力は前記したトライアックＴＲ１、ＴＲ２、ＴＲ３によってその位相の点弧角を制御されて昇圧トランスＴ１に入力する。この昇圧トランスＴ１は１次側にＡＣラインからの２００Ｖが入ると２次側は１０００Ｖ〜４０００Ｖに達し、これを倍圧整流して２０００Ｖ〜８０００Ｖとし、コンデンサＣ１、Ｃ２の両端に出力する。
【０００４】
即ち、マグネトロン発振器に供給される電力はこの２０００Ｖ〜８０００Ｖが加えられることとなる。制御はＡＣ位相制御方式の定電流コントロールによって電流を定電流化して行なっている。
【０００５】
また、この回路にはチョークコイルＬＨがマグネトロン発振器の高圧側に組み入れられており、このチョークコイルＬＨに大きな値を入れ、リップルフィルターとしている。これはこの回路でコンデンサＣ１、Ｃ２はリップルフィルターとしては効をなさないためである。マグネトロン発振器は勿論ヒータートランスＴ２と接続されている。また、リップルフィルターとしてチョークコイルＬＨを使用しているのは抵抗を挿入すると効率が悪くなってしまうことに起因している。
【特許文献１】本発明について、出願人は先行する技術文献の調査を行なったが、格別に関連すると思われる文献は発見できなかった。
【発明の開示】
【発明が解決しようとする課題】
【０００６】
本発明が解決しようとする問題点は、上記したようなマグネトロン電源装置にあって、インバータ方式を採用しようとする際、チョークコイルを回路に挿入すると、不安定となり、つまり定電流コントロールを行なうことができず、系が安定しないという点である。
【課題を解決するための手段】
【０００７】
この問題点を解決するために、本発明に係るマグネトロン電源装置はパワースイッチとパルストランスを含めたインバータとマグネトロン発振器とを組み入れたマグネトロン電源装置であって、マグネトロン発振器のグランド側もしくは高圧側に抵抗素子を組み込んであることを特徴とし、前記抵抗素子を高圧側に組み込む場合、その抵抗素子を絶縁してあることを特徴としている。
【発明の効果】
【０００８】
上記した構成としたことによってインバータ方式を採用しながらも、チョークコイルを不要とし、新しく組み入れられる抵抗素子によってリップルも除去することができ、系を安定させ、性能を向上させることができることとなるのである。これはインバータは３０ＫＨｚの高周波で電力を電送することとなり、５０Ｈｚや６０Ｈｚの場合と違いレスポンスが早くなるため、新しい抵抗素子のみでリップルも除去あるいは小さくすることができるのである。
【発明を実施するための最良の形態】
【０００９】
実施例として示す図１のように回路を構成することで実現した。
【実施例１】
【００１０】
次に、本発明の好ましい実施の一例を図１を参照して説明する。図１は本発明を実施したマグネトロン電源装置を示すブロック回路図である。
【００１１】
この図１として示すマグネトロン電源装置としての回路にも通例のＡＣラインから電力が入力される。このＡＣラインからの入力電力はブリッジ形成した整流器とコンデンサとよりなるＡＣ整流平滑回路１によって整流、平滑される。
【００１２】
ＡＣ整流平滑回路１で整流、平滑された電力はパワースイッチング回路及びパルストランスとより構成されるインバータ２に入力される。このインバータ２からは２０ＫＨｚ〜１００ＫＨｚの高周波で電力を電送することとなる。この高周波での電力電送によって、従前の５０Ｈｚや６０Ｈｚの場合と違ってレスポンスが早められることとなる。
【００１３】
このインバータ２からの高周波による電力は整流器とコンデンサよりなる高圧整流平滑回路３に供給され、そこで整流、平滑されマグネトロン発振器４に電力が加えられる。また、この回路ではマグネトロン発振器４のグランド側、それも高圧整流平滑回路３とマグネトロン発振器４との結線中に新規な抵抗素子Ｒ１が組み入れられている。インバータ２からの高周波電力のレスポンスが早いため、この抵抗素子Ｒ１による抵抗のみで従来のチョークコイルＬＨがなくとも十分にリップルを除去し、あるいは小さくすることができることとなっている。
【００１４】
また、この抵抗素子Ｒ１は図中矢印をもって示すように、従前チョークコイルＬＨの組み入れられた個所、即ち、マグネトロン発振器４の高圧側に組み入れることも可能である。但し、この場合には抵抗素子（Ｒ１）に、例えば碍子等を用いて絶縁処理して使用することが必要となる。
【００１５】
さらに、図中５は制御のためのコントロール回路を示しており、マグネトロン発振器４を流れる電流を定電流化して前記制御を行なうこととしている。この定電流化の制御をインバータ２を用いながら安定して行なうため、前記した抵抗素子Ｒ１が効を奏し、系を安定させ、性能を向上させることができる。また、コントロール回路５はインバータ２、特にそのインバータ２を構成するパワースイッチングも制御するものとなっている。
【００１６】
前記したマグネトロン発振器４は従前と同様にヒータートランスＴ２と接続されることとなっている。
【産業上の利用可能性】
【００１７】
本発明は上記した構成とされているので、電子レンジを想定したマグネトロン電源のほか、インバータを用いた回路で制御を定電流化して行なうタイプのものに応用することが可能である。
【図面の簡単な説明】
【００１８】
【図１】本発明を実施したマグネトロン電源装置を示す回路ブロック図である。
【図２】従来のマグネトロン電源装置を示す回路ブロック図である。
【符号の説明】
【００１９】
１  ＡＣ整流平滑回路
２  インバータ
３  高圧整流平滑回路
４  マグネトロン発振器
５  コントロール回路
【図１】
2006202670.tif 000003
【図２】
2006202670.tif 000004